(57)【要約】  本発明によるアクセスポイントは、サービス提供中のアクセスポイントとネットワークノードとの接続障害が検出されると、通知メッセージを生成し、アクセスポイントによりサービス提供されていたモバイル装置にブロードキャストする。通知メッセージは、影響を受けるモバイル装置に対する１つまたは複数の代替のアクセスポイントを識別するリダイレクト情報を含めることにより、隣接セルに対する接続障害の影響を制御する。影響を受けるモバイル装置は続けて、リダイレクト情報により識別されたアクセスポイントにアクセスしようとする。通知メッセージは、影響を受けるモバイル装置がリダイレクト情報により識別される代替のアクセスポイントへのアクセスを試みることができる時期を、該モバイル装置に通知するタイミング情報を含むこともできる。
2011505099.tif 000002
【特許請求の範囲】
【請求項１】
無線通信システム内のアクセスポイントとネットワークノードとの接続障害をモバイル装置に通知する方法であって、
前記アクセスポイントと前記ネットワークノードとのインタフェースの接続障害を検出するステップと、
前記接続障害に応答して、通知メッセージを生成してブロードキャストし、前記アクセスポイントによりサービス提供されるモバイル装置に前記接続障害を通知するステップであって、前記通知メッセージは、前記モバイル装置の１つまたは複数の代替のアクセスポイントを識別するリダイレクト情報を含む、ステップと
を含む、方法。
【請求項２】
前記通知メッセージは、１つまたは複数の前記モバイル装置が代替のアクセスポイントにリダイレクトすべき時期を識別するタイミング情報を含む、請求項１に記載の方法。
【請求項３】
前記タイミング情報は、１つまたは複数の前記モバイル装置のリダイレクト時間を含む、請求項２に記載の方法。
【請求項４】
前記タイミング情報は、前記代替のアクセスポイントのうちの１つにリダイレクトする前に、１つまたは複数の前記モバイル装置に第２の通知メッセージを待つように指示する、請求項２に記載の方法。
【請求項５】
異なる時間に前記第２の通知メッセージを１つまたは複数の前記モバイル装置に送信するステップをさらに含む、請求項４に記載の方法。
【請求項６】
前記アクセスポイントと前記ネットワークノードとの間の前記接続を再確立するように前記インタフェースを再構成するステップと、
前記第２の通知メッセージを前記モバイル装置にブロードキャストして、前記再確立された接続を前記モバイル装置に通知し、保留中のリダイレクト動作を取り消すステップと
をさらに含む、請求項４に記載の方法。
【請求項７】
前記アクセスポイントと前記ネットワークノードとの間の前記接続を再確立するように前記インタフェースを再構成するステップと、
前記再確立された接続についての第２の通知メッセージをブロードキャストするステップと
をさらに含む、請求項１に記載の方法。
【請求項８】
無線通信システム内のアクセスポイントであって、
前記無線通信システム内の前記アクセスポイントと前記ネットワークノードとのインタフェースの接続障害を検出し、
前記接続障害に応答して、１つまたは複数の前記モバイル装置の代替のアクセスポイントを識別するリダイレクト情報を含む通知メッセージを生成してブロードキャストし、前記アクセスポイントによりサービス提供されるモバイル装置に前記接続障害を通知するように構成された接続プロセッサを備える、アクセスポイント。
【請求項９】
前記通知メッセージは、１つまたは複数の前記モバイル装置が代替のアクセスポイントにリダイレクトすべき時期を識別するタイミング情報を含む、請求項８に記載のアクセスポイント。
【請求項１０】
前記タイミング情報は、１つまたは複数の前記モバイル装置のリダイレクト時間を含む、請求項９に記載のアクセスポイント。
【請求項１１】
前記タイミング情報は、前記代替のアクセスポイントのうちの１つにリダイレクトする前に、１つまたは複数の前記モバイル装置に第２の通知メッセージを待つように指示する、請求項９に記載のアクセスポイント。
【請求項１２】
前記接続プロセッサは、異なる時間に前記第２の通知メッセージを１つまたは複数の前記モバイル装置に送信するようにさらに構成される、請求項１１に記載のアクセスポイント。
【請求項１３】
前記接続プロセッサは、
前記アクセスポイントと前記ネットワークノードとの間の前記接続を再確立するように前記インタフェースを再構成し、
前記第２の通知メッセージを前記モバイル装置にブロードキャストして、前記再確立された接続を前記モバイル装置に通知し、保留中のリダイレクト動作を取り消すようにさらに構成される、請求項１１に記載のアクセスポイント。
【請求項１４】
前記接続プロセッサは、
前記アクセスポイントと前記ネットワークノードとの間の前記接続を再確立するように前記インタフェースを再構成し、
前記再確立された接続についての第２の通知メッセージをブロードキャストするようにさらに構成される、請求項８に記載のアクセスポイント。
【請求項１５】
無線通信システム内のアクセスポイントとネットワークノードとの接続障害をモバイル装置に通知する方法であって、
前記アクセスポイントと前記ネットワークノードとの接続障害を示すブロードキャストされた通知メッセージを受信するステップであって、前記通知メッセージは、前記モバイル装置の１つまたは複数の代替のアクセスポイントを識別するリダイレクト情報を含む、ステップと、
前記リダイレクト情報を使用して、前記代替のアクセスポイントのうちの１つにアクセスするステップと
を含む、方法。
【請求項１６】
前記通知メッセージは、前記モバイル装置が代替のアクセスポイントにリダイレクトすべき時期を識別するタイミング情報を含む、請求項１５に記載の方法。
【請求項１７】
前記リダイレクト情報を使用して、前記代替のアクセスポイントのうちの１つにアクセスするステップが、前記リダイレクト情報を使用して、前記タイミング情報により識別される明示的なリダイレクト時間に、前記代替のアクセスポイントのうちの１つにアクセスするステップを含む、請求項１６に記載の方法。
【請求項１８】
前記タイミング情報は、第２の通知メッセージを受信するまで、前記代替のアクセスポイントのうちの１つにアクセスするのを遅らせるように前記モバイル装置に指示する、請求項１６に記載の方法。
【請求項１９】
前記第２の通知メッセージは、前記アクセスポイントと前記ネットワークノードとの間の再確立された接続を前記モバイル装置に通知する、請求項１８に記載の方法。
【請求項２０】
前記接続障害を１つまたは複数の代替のアクセスポイントに報告するステップをさらに含む、請求項１５に記載の方法。
【請求項２１】
無線通信システム内のアクセスポイントに動作可能に関連付けられたモバイル装置であって、
前記無線通信システム内の前記アクセスポイントと前記ネットワークノードとの接続障害を示すブロードキャストされた通知メッセージであって、前記モバイル装置の１つまたは複数の代替のアクセスポイントを識別するリダイレクト情報を含む通知メッセージを受信し、
前記リダイレクト情報を使用して、前記代替のアクセスポイントのうちの１つにアクセスするように構成されたプロセッサを備える、モバイル装置。
【請求項２２】
前記通知メッセージは、前記モバイル装置が代替のアクセスポイントにリダイレクトすべき時期を識別するタイミング情報を含む、請求項２１に記載のモバイル装置。
【請求項２３】
前記プロセッサは、前記リダイレクト情報を使用して、前記タイミング情報により識別される明示的なリダイレクト時間に、前記代替のアクセスポイントのうちの１つにアクセスする、請求項２２に記載のモバイル装置。
【請求項２４】
前記タイミング情報は、第２の通知メッセージを受信するまで、前記代替のアクセスポイントのうちの１つにアクセスするのを遅らせるように前記モバイル装置に指示する、請求項２２に記載のモバイル装置。
【請求項２５】
前記第２の通知メッセージは、前記アクセスポイントと前記ネットワークノードとの間の再確立された接続を前記モバイル装置に通知する、請求項２４に記載の方法。
【発明の詳細な説明】
【技術分野】
【０００１】
技術分野
本発明は、一般には、無線通信システム内のネットワークノード間のインタフェース障害の送信に関する。
【背景技術】
【０００２】
背景
無線通信システムは通常、種々の無線アクセス技術に頼り、コアネットワークと携帯電話等のモバイル装置との間で情報を交換する複数の無線ネットワークを含む。一般に、モバイル装置は、無線ネットワーク、例えば、ＧＳＭ、ＵＭＴＳ、ＬＴＥ等に関連する無線アクセス技術に従って複数の無線ネットワークのうちの１つの無線ネットワーク内のアクセスポイントと通信する。そして、アクセスポイントは、適切な無線アクセス技術に従ってコアネットワークと通信する。このような通信は、モバイル装置とコアネットワークとの通信リンクが維持される限り、中断なく動作する。通信リンクのうちの１つまたは複数の障害は、モバイル装置とコアネットワークとの間で進行中の通信を危険に曝す。
【０００３】
例えば、ＵＭＴＳネットワーク内で動作する場合、モバイル装置はノードＢアクセスポイントと通信する。そして、ノードＢは、無線ネットワークコントローラ（ＲＮＣ）を介してコアネットワークと通信する。ノードＢとＲＮＣとの間、またはＲＮＣとコアネットワークとの間の通信リンクの障害は、ノードＢの適切な動作を妨げる。同様に、ＬＴＥネットワーク内で動作する場合、ｅノードＢアクセスポイントとコアネットワークとの間の通信リンクの障害は、ｅノードＢアクセスポイントの適切な動作を妨げる。
【０００４】
従来技術によるネットワークがこの問題に直面した場合、影響を受けるモバイル装置はアイドルモードになる。アイドルモードで動作中、モバイル装置は、異なるアクセスポイントにアクセスし、コアネットワークとの通信を再確立しようとし得る。場合によっては、モバイル装置のうちの１つまたは複数は、異なる無線アクセス技術に関連するアクセスポイントにアクセスしようとし得る。代わりに、または、更にその上、モバイル装置のうちのいくつかまたはすべてが、隣接セル内の同じアクセスポイントに同時にアクセスしようとし得る。これらのタイプの遷移は、影響を受ける隣接セルに対して望ましくないほど大きな負荷をかけ得る。さらに、ネットワーク内で最適化された隣接セル関係を有する機能は、隣接セルのＵＥ測定に基づき得る。アクセスポイントとコアネットワークとの間の通信リンクの障害は、この機能に影響を及ぼす恐れがある。
【発明の概要】
【課題を解決するための手段】
【０００５】
概要
本発明は、無線通信システム内のアクセスポイントとコアネットワーク等のネットワークノードとの接続障害に対処する。より詳細には、アクセスポイント内の接続プロセッサが、アクセスポイントとネットワークノードとの接続を監視する。接続障害が検出されると、接続プロセッサは通知メッセージを生成し、アクセスポイントがサービス提供しているモバイル装置にブロードキャストする。例示的な一実施形態によれば、通知メッセージは、影響を受けるモバイル装置の１つまたは複数の代替のアクセスポイントを識別するリダイレクト情報を含む。リダイレクト情報は、影響を受けるアクセスポイントが、隣接セルへの接続障害の影響を制御できるようにする。さらに、リダイレクト情報は、影響を受けるアクセスポイントが、影響を受けるモバイル装置が利用するアクセスポイントのタイプひいては特定の無線アクセス技術を指示できるようにする。次に、モバイル装置は、リダイレクト情報により識別されるアクセスポイントにアクセスしようとする。リダイレクト情報に接続障害通知メッセージを提供することにより、本発明は、有利なことに、隣接セルを過負荷から保護する手段を提供し、影響を受けるモバイル装置が異なる無線アクセス技術を使用しないようにし、モバイル装置がアイドルモードにならないようにすることができる。
【０００６】
通知メッセージは、影響を受けるモバイル装置がリダイレクト情報により識別される代替のアクセスポイントにいつアクセスを試みることができるかを、該モバイル装置に通知するタイミング情報を含んでもよい。例えば、タイミング情報は、モバイル装置のうちのいくつかまたはすべてに特定のリダイレクト時間を提供し得る。したがって、タイミング情報は、有利なことに、複数のモバイル装置が同時にリダイレクトしないように、影響を受けるモバイル装置のリダイレクトを制御する。あるいは、タイミング情報は、モバイル装置のうちのいくつかまたはすべてに、代替のアクセスポイントへのアクセスを試みる前に、第２の通知メッセージを待つように指示し得る。この場合、第２の通知メッセージは、アクセス試行を開始するようにモバイル装置に明示的に指示することにより、リダイレクト時間を制御し得る。あるいは、第２の通知メッセージは、元々サービス提供していたアクセスポイントがコアネットワークとの接続を再確立したため、リダイレクトが必要ないことをモバイル装置に通知し得る。この場合、第２の通知メッセージは、有利なことに、影響を受けるモバイル装置にリダイレクトが必要ないことを通知する。
【図面の簡単な説明】
【０００７】
図面の簡単な説明
【図１】本発明に適用可能な無線通信システムを示す。
【図２】本発明による例示的なプロセスを示す。
【図３】図１の無線通信システム内のアクセスポイントの例示的なブロック図を示す。
【発明を実施するための形態】
【０００８】
詳細な説明
図１は、例示的な１つの無線通信システム１０を示す。無線通信システム１０は、携帯電話、個人情報端末、ラップトップコンピュータ等のモバイル装置２０との無線通信を可能にする１つまたは複数のアクセスポイント４０を含む。アクセスポイント４０は、同じアクセス技術を実装してもよく、または異なるアクセス技術を実装してもよい。ＧＳＭネットワークの場合、アクセスポイント４０は、送受信基地局（ＢＴＳ）を含む一方で、ＵＭＴＳおよびＬＴＥネットワークの場合、アクセスポイント４０はノードＢおよびｅノードＢのそれぞれを含む。示されていないが、他のアクセスポイント４０、例えば、ＷＬＡＮアクセスポイントが無線通信システム１０内に含まれてもよい。アクセスポイント４０は、モバイル装置２０をコアネットワーク３０に接続する。ＧＳＭネットワークの場合、ＢＴＳ４０は、Ａｂｉｓインタフェースを介して基地局コントローラ（ＢＳＣ）５０に接続し、そして、ＢＳＣ５０はコアネットワーク３０に接続する。ＵＭＴＳネットワークの場合、ノードＢ４０は、ｌｕｂインタフェースを介して無線ネットワークコントローラ（ＲＮＣ）５２に接続し、そして、ＲＮＣ５２はコアネットワーク３０に接続する。ＬＴＥネットワークの場合、ｅノードＢは、Ｓ１インタフェースを介してコアネットワーク３０内のサービングゲートウェイおよび移動管理エンティティ（ｍｏｂｉｌｉｔｙ  ｍａｎａｇｅｍｅｎｔ  ｅｎｔｉｔｙ）に接続する。
【０００９】
アクセスポイント４０とコアネットワーク３０との接続が、例えば、図１のＬＴＥネットワークと共に示すように、中断したか、または障害が発生した場合、影響を受けるアクセスポイント４０は通常、サービスから外され、外されたアクセスポイント４０によりサービス提供されていたモバイル装置２０はアイドルモードに切り替えられる。アイドルモード中、モバイル装置２０は、可能な限りすぐに新たなアクセスポイント４０を選択してそのアクセスポイント４０へのアクセスを試みて、コアネットワーク３０との通信を再確立する。モバイル装置２０は、元々サービス提供していたアクセスポイント４０と異なる無線アクセス技術を使用するアクセスポイント４０を選択し得る。さらに、複数のモバイル装置２０の、新たなアクセスポイント４０への突然の遷移により、隣接アクセスポイント４０に望ましくない過負荷がかかる恐れがある。
【００１０】
本発明の実施形態によれば、アクセスポイント４０は、コアネットワーク３０への接続の状態を監視し、接続が中断したか、または障害が発生した場合、通知をモバイル装置２０にブロードキャストする。アクセスポイント４０は、モバイル装置２０による再選択に利用可能な好ましいアクセスポイント４０を示すリダイレクト情報もモバイル装置２０に通知し得る。リダイレクト情報は、モバイル装置２０が隣接アクセスポイント４０に切り替わるべき特定の時間も示し得る。したがって、モバイル装置２０は、多数のモバイル装置２０がすべて同じ隣接アクセスポイント４０に同時に切り替わらないように「スケジュール」することができる。
【００１１】
図２は、アクセスポイント４０により実施される例示的な方法１００を示す。サービス提供中のアクセスポイント４０は、アクセスポイント４０とコアネットワーク３０との接続を監視する（ブロック１１０）。接続障害を検出すると（ブロック１２０）、アクセスポイント４０は、アクセスポイントがサービス提供不能なことを示す通知を生成し、モバイル装置２０にブロードキャストする（ブロック１３０）。ブロードキャストされる通知は、モバイル装置２０による再選択に利用可能な１つまたは複数の代替のアクセスポイント４０を識別するリダイレクト情報を含む。例えば、リダイレクト情報は、隣接セルのアクセスポイント４０を識別し得る。リダイレクト情報は、モバイル装置２０が隣接のアクセスポイント４０に切り替わるスケジュールされた時間も含み得る。
【００１２】
アクセスポイント４０は、任意の利用可能な隣接セルの情報に基づいて、通知メッセージのリダイレクト情報を生成し得る。例えば、サービス提供中のアクセスポイント４０は、現在、サービス提供中のアクセスポイント４０の制御下にあるモバイル装置２０の数、隣接のアクセスポイント４０の現在の負荷等に基づいて、複数の代替のアクセスポイント４０を識別し得る。リダイレクト情報の生成に必要な負荷情報のうちのいくつかまたはすべてが、アクセスポイント間のインタフェース、例えば、Ｘ２インタフェースを介して隣接のアクセスポイント４０により、および／またはモバイル装置２０により提供され得ることが理解される。それに関わりなく、ブロードキャストされる通知メッセージは、接続障害により影響を受けるモバイル装置２０が利用可能な特定の代替のアクセスポイント４０を識別する。
【００１３】
通知メッセージに応答して、モバイル装置２０は、コアネットワーク３０との通信を継続するために、ブロードキャストされた通知メッセージにより識別された代替のアクセスポイント４０のうちの１つにアクセスしようとする。リダイレクト情報が特定のモバイル装置２０に特定の代替のアクセスポイント４０を識別し得ることが理解される。例えば、リダイレクト情報は、あるモバイル装置２０が第１の代替のアクセスポイント４０にアクセスすべきであり、別のモバイル装置２０が第２の代替のアクセスポイント４０にアクセスすべきであることを指定し得る。あるいは、各モバイル装置２０は、いくつかの所定の基準に従って、リダイレクト情報により識別されたアクセスポイント４０のうちの１つを選択し得る。例えば、モバイル装置２０は、識別されたもののうち、最も近いアクセスポイント４０を選択することにより、識別されたアクセスポイント４０のうちの１つを選択し得る。いかなるイベントでも、リダイレクト情報は、サービス提供中のアクセスポイント４０で接続障害が発生した場合、モバイル装置２０がどの代替のアクセスポイント４０にアクセスするかを制御する。
【００１４】
必須ではないが、ブロードキャストされる通知メッセージは、モバイル装置２０のうちのいくつかまたはすべてが、リダイレクト情報により識別される代替のアクセスポイント４０へのアクセスを試みることができる時期を制御するタイミング情報を含み得る。例えば、タイミング情報は、モバイル装置２０のうちのいくつかまたはすべてに指定されたアクセス時間を識別し得、この場合、各モバイル装置２０は、指定されたアクセス時間に代替のアクセスポイント４０へのアクセスを試みる。あるいは、タイミング情報は、モバイル装置２０のうちのいくつかまたは複数に、代替のアクセスポイント４０へのアクセスを試みる前に、第２の通知メッセージを待つように指示し得る。この場合、サービス提供中のアクセスポイント４０は、第２の通知メッセージの送信を遅らせて、モバイル装置２０が代替のアクセスポイント４０に遷移することを遅らせ得る。したがって、第２の通知メッセージを使用して、各モバイル装置２０が代替のアクセスポイント４０にいつ遷移するかを制御し得る。
【００１５】
タイミング情報が、モバイル装置２０のうちのいくつかまたはすべてに第２の通知メッセージを待つように指示するさらに別の例では、アクセスポイント４０は、コアネットワーク３０との接続を再確立しようとする所定の期間、第２の通知メッセージの送信を遅らせ得る。アクセスポイント４０が成功した場合、第２の通知メッセージは、接続が再確立したことをモバイル装置２０のうちのいくつかまたはすべてに通知し得、それにより、第１の通知メッセージが効果的にキャンセルされる。アクセスポイント４０は、所定の期間以内に成功しなかった場合、第２の通知メッセージの送信を遅らせて、代替のアクセスポイント４０へのモバイル装置２０の遷移を遅らせ、それにより、各モバイル装置２０が代替のアクセスポイント４０に遷移する時期を制御し得る。
【００１６】
図３は、本発明によるアクセスポイント４０の例示的なブロック図を示す。アクセスポイントは、送受信器４２および制御論理４４を含む。送受信器は、制御論理４４により提供される指示に従ってモバイル装置２０と無線通信するアンテナに接続する。制御論理は、アクセスポイント４０とコアネットワーク３０との接続に障害が発生したことをモバイル装置２０に通知する上記プロセスを実施する接続プロセッサ４６をさらに含む。
【００１７】
上述した本発明は、無線通信システム１０内のアクセスポイント４０とコアネットワーク３０との接続障害に関する従来技術による解決策に関連する問題に対処する。接続障害による影響を受けるモバイル装置２０を特定の代替のアクセスポイント４０にリダイレクトすることにより、本発明は、隣接セルに対する接続障害の影響を制御する。さらに、本発明は、代替のアクセスポイント４０へのモバイル装置２０の遷移に関連するタイミングを制御する手段を提供することにより、複数のモバイル装置２０が１つのアクセスポイント４０へのアクセスを同時に試みないようにし得る。さらに、本発明は、あるアクセスポイント４０が、他のアクセスポイント４０を動的に追跡し続けられるようにする。例えば、従来のシステムでは、接続障害に関連するアクセスポイント４０は、モバイル装置測定から、接続障害に関連するアクセスポイント４０に提案される隣接のアクセスポイントがないため、隣接のアクセスポイント４０の隣接リストから削除され得る。本発明は、接続が復元されるまで、影響を受けたアクセスポイント４０が利用不可能であることを理解して、影響を受けたアクセスポイント４０を、隣接のアクセスポイント４０の隣接リストに残すことができる。この場合、影響を受けるモバイル装置２０のうちの１つまたは複数は、接続障害を１つまたは複数の隣接アクセスポイントに報告し得る。
【００１８】
本発明は、当然ながら、本発明の範囲および本質的な特徴から逸脱せずに、本明細書に述べられた方法以外の具体的な方法で実行することも可能である。したがって、本実施形態は、すべての点において限定ではなく例示として考えられるべきであり、添付の特許請求の範囲の意味および均等範囲内にあるすべての変更は、特許請求の範囲内に包含されることを意図する。
【図１】
2011505099.tif 000003
【図２】
2011505099.tif 000004
【図３】
2011505099.tif 000005
【国際調査報告】
2011505099.tif 000006
2011505099.tif 000007
2011505099.tif 000008
2011505099.tif 000009